(57)【要約】【課題】従来の冷蔵庫扉の三段に設けた収納ポケットは、高さの異なる複数の容器の収納にかならずしも扉内側のスペースを有効に使用してなかった。【解決手段】この発明の冷蔵庫扉は、扉内側の上段、中段及び下段のそれぞれに、食品を載置する底面部、底面部を囲う前面部と側面部を持つ収納ポケットである上段扉棚、中段扉棚及び下段扉棚を設け、中段扉棚の底面部は、一方の側面部側に主として配置される上方底面部と他方の側面部側に配置され、より高さの低い下方底面部から成る段差のある底面部であり、下方底面部が上方底面部より庫内側に突出しているものである。【選択図】        図１
2004177071.tif 000002
【特許請求の範囲】
【請求項１】
扉内側の上段、中段及び下段のそれぞれに、容器を載置する底面部、前記底面部を囲う前面部と側面部を持つ収納ポケットである上段扉棚、中段扉棚及び下段扉棚を設けた冷蔵庫扉において、
前記中段扉棚の底面部は、上方底面部と、より高さの低い下方底面部とから成る段差のある底面部であり、前記下方底面部が前記上方底面部より庫内側に突出していることを特徴とする冷蔵庫扉。
【請求項２】
前記中段扉棚は、扉内板が突出し、容器を載置する底面部及び両側の側面部を形成した後部中段扉棚と、該後部中段扉棚に着脱可能に取付けられ、容器を載置する底面部、前記底面部を囲う前面部と側面部を持ち、庫内側に配置される前部中段扉棚とから成り、
前記前部中段扉棚の底面部は、一方の側面部側に主として配置される上方底面部と他方の側面部側に配置される下方上面部とから成る段差のある底面部であり、前記前部中段扉棚の上方底面部は、前記後部中段扉棚の底面部と同じ高さでつながっていることを特徴とする請求項１に記載の冷蔵庫扉。
【請求項３】
前記前部中段扉棚の前記上方底面部は、前記下方底面部の後方まで延在し、前記上方底面部の後部先端部が、前記後部中段扉棚の底面部の前記前部中段扉棚側の先端部で、切欠きを設けた先端部に重なることにより、前記前部中段扉棚の前記上方底面部は前記後部中段扉棚の底面部と同一平面を形成するとともに、前記前部中段扉棚は支持されることを特徴とする請求項２に記載の冷蔵庫扉。
【請求項４】
前記前部中段扉棚の前記上方底面部の容器載置面と反対面側で、一方の側面部側から前記下方底面部側に、前記反対面から突出するリブを設けたことを特徴とする請求項２又は請求項３に記載の冷蔵庫扉。
【請求項５】
前記前部中段扉棚の下方底面部は、前面部、両側面部及び後面部で囲われ、前記上方底面部との境界の前記側面部及び前記後面部は、前記上方底面部の高さより高いフランジ部を形成することを特徴とする請求項２から請求項４のいずれかの請求項に記載の冷蔵庫扉。
【請求項６】
前記前部中段扉棚は、透明樹脂で形成されたことを特徴とする請求項２から請求項５のいずれかの請求項に記載の冷蔵庫扉。
【発明の詳細な説明】
【０００１】
【発明の属する技術分野】
この発明は、冷蔵庫扉に関し、その内側に収納ポケットを有する冷蔵庫扉に関するものである。
【０００２】
【従来の技術】
冷蔵庫扉の内側に収納ポケットを有する従来技術としては、次のものがある。即ち、上面及び背面を開口し、扉内板に固定するポケットの内部左右に、同ポケットの内部を前後に仕切る二つの仕切板を前後にずらして設ける一方、この二つの仕切板に対応する挟持部を備えたクランク状の可動仕切板を形成し、この可動仕切板をポケット内の二つの仕切板に摺動自在に被せた構成し、このような構成であれば、ポケット内の前後のどちらにも大小のびん類を混在させることができ、出し入れの頻度が高いものを大小そろえて手前に収納できるので使い勝手が良くなる、というものである（例えば、特許文献１参照）。
【０００３】
【特許文献１】
特開２０００−００９３７８号公報（第３頁、図１〜図５）
【０００４】
【発明が解決しようとする課題】
上記のような従来の冷蔵庫扉の収納ポケットでは、確かにポケット内の前後のどちらにも大小のびん類を混在させることができ、出し入れの頻度が高いものを大小そろえて手前に収納できるので使い勝手が良くなるという場合はあるが、例えば、収納する容器類の高さについての考慮がない。即ち、高さの相違する容器類をスペースを有効利用して収納するという考慮がない。
特に、扉内側に三段に収納ポケットを設けた小型の冷蔵庫においては、高さ方向の限られたスペースを有効に使用することが重要となる。
【０００５】
本発明は上記のような問題点を解消するためになされたもので、中段扉棚を改良することにより、上段扉棚と下段扉棚との間のスペースを有効利用することを目的とする。
また、各種の容器の収納を可能とすることを目的とする。
また、扉棚の変形が防止できることを目的とする。
また、内部の透視できる扉棚を得ることを目的とする。
【０００６】
【課題を解決するための手段】
この発明の冷蔵庫扉は、扉内側の上段、中段及び下段のそれぞれに、容器を載置する底面部、底面部を囲う前面部と側面部を持つ収納ポケットである上段扉棚、中段扉棚及び下段扉棚を設けた冷蔵庫扉であって、
中段扉棚の底面部は、上方底面部と、より高さの低い下方底面部とから成る段差のある底面部であり、下方底面部が上方底面部より庫内側に突出しているものである。
【０００７】
【発明の実施の形態】
実施の形態１．
本実施の形態を図により説明する。
図１は、実施の形態１の冷蔵庫の冷蔵室の扉を開いた状態を示す正面図であり、図２は、同じく中段扉棚の要部正面図であり、図３は、同じく中段扉棚の要部上面図であり、図４は、同じく中段扉棚の要部左側面図であり、図５は、同じく中段扉棚の要部右側面図であり、図６は、同じく中段扉棚の要部背面図であり、図７は、同じく中段扉棚に容器を配置した時の要部上面図であり、図８は、同じく中段扉棚に容器を配置したときの要部縦断面図である。
【０００８】
これらの図において、冷蔵庫本体１の冷蔵室２の冷蔵庫扉３の内側において、扉内板４の周辺部５は、互いに平行な縦周辺部５ａ及び互いに平行な横周辺部５ｂからなっており、冷蔵庫扉３の扉内側面から突出している。
また、冷蔵庫扉３の内側には、容器を載置する底面部、この底面部を囲う前面部と側面部を持ち、扉内板４が突出して形成される収納ポケット６、７、８が設けられており、周辺部５の下部には、下段の収納ポケットである下段扉棚６、上部には左右縦周辺部の間に上段の収納ポケットである上段扉棚７、そしてこれらの間に中段の収納ポケットである中段扉棚８が設けられている。
【０００９】
中段扉棚８は、扉内板４が突出し、容器を載置する底面部１０ａ及び両側の側面部１０ｂを形成した後部中段扉棚１０と、この後部中段扉棚１０に着脱可能に取付けられ、容器を載置する底面部、底面部を囲う前面部と側面部を持ち、庫内側に配置される前部中段扉棚１１とから成る。
前部中段扉棚１１の底面部は上方底面部１１ａと下方底面部１１ｅから成る段差のある底面部であり、冷蔵庫扉３の開閉時に冷蔵庫本体に接続している側の底面部が高さの高い上方底面部１１ａであり、開く側の底面部が高さの低い下方底面部１１ｅであり、ほぼ中央部で分かれ、下方底面部１１ｅは、上方底面部１１ａより庫内側に（図３で前面側に）突出する。
前部中段扉棚１１の上方底面部１１ａは後部中段扉棚１０の底面部１０ａと同じ高さであり、つながっている。また、一部は下方底面部１１ｅの後部中段扉棚１０側（図３で下方底面部の奥側）まで延在する。そして、上方底面部１１ａの後部先端部１１ｆが、後部中段扉棚１０の底面部１０ａの前部中段扉棚１１側の先端部で、切欠きを設けた先端部１０ｃに重なることにより、前部中段扉棚１１の上方底面部１１ａは後部中段扉棚１０の底面部１０ａと同一平面を形成するとともに、前部中段扉棚１１は支持される。
【００１０】
前部中段扉棚１１は、上方及び後方が開口し、上方底面部１１ａとその周縁を包囲する上方前面部１１ｂ及び上方外部側面部１１ｃを有し、また、下方底面部１１ｅとその周縁を包囲する下方前面部１１ｇと下方内部側面部１１ｈと下方外部側面部１１ｊと下方後面部１１ｋを有する。
また、前部中段扉棚１１は、上方外部側面部１１ｃ及び下方外部側面部１１ｊに左右同一な凹部１１ｄが形成されており、これらの凹部１１ｄを扉内板４の縦周辺部５ａに形成された凸部５ｄに嵌め込む又は取外すことにより、着脱可能に取付けられる。
また、前部中段扉棚１１の上部底面部１１ａの裏面（容器載置面と反対面）に、上方外部側面部１１ｃ側から下方底面部１１ｅ側に延在するリブ１２が設けられる（図２参照）。
さらに、下方底面部１１ｅの周縁を囲う前面部１１ｇ、両側面部１１ｈ、１１ｊ及び後面部１１ｋのうち、上方底面部１１ａとの境界をなす下方内部側面部１１ｈと下方後面部１１ｋは、上方底面部１１ａより高さの高いフランジ部１３を有する。
【００１１】
図１において、中段扉棚８の上方底面部１１ａに載置される３５０ｍｌ缶２０は、最大直径は６６ｍｍ、高さは１２２ｍｍであり、２５０ｍｌ缶２１は最大直径は５２ｍｍ、高さは１３３ｍｍであり、小形の缶２２は２５０ｍｌ缶２１と同直径でより高さが低い缶である。
また、中段扉棚８の下方底面部１１ｅに載置される５００ｍｌペットボトル２３は最大直径は６８ｍｍで高さは２１０ｍｍである。
また、下段扉棚６で、中段扉棚８の上方底面部１１ａの下に載置される２ｌペットボトル２４は最大幅が１０６．５ｍｍ、高さが３１１ｍｍである。
また、下段扉棚６で、中段扉棚８の下方底面部１１ｅの下に載置される牛乳パック大の大きさの箱２５は最大幅は７０ｍｍ、高さは２５０ｍｍである。
【００１２】
ここで、上段扉棚７の最下部と中部扉棚８の下方底面部１１ｅとの距離をＡとし、中部扉棚８の下方底面部１１ｅの裏面と下段扉棚６の底面部との距離をＢとし、上段扉棚７の最下部と中部扉棚８の上方底面部１１ａとの距離をＣとし、中部扉棚８の上方底面部１１ａと下段扉棚６の底面部との距離をＤとする。
寸法Ａは５００ｍｌペットボトル２３を収納するのに十分な高さ以上、即ち、２２０ｍｍ以上（例えば、２２５ｍｍとする）であり、寸法Ｂは牛乳パック大の箱２５を収納するのに十分な高さ以上、即ち、２８０ｍｍ以上（例えば、２８０ｍｍとする）である。ただし、寸法Ａと寸法Ｂを足したものは寸法Ｃと寸法Ｄを足したものと同じである。
【００１３】
図のように構成された冷蔵庫扉において、５００ｍｌペットボトル２３を中段扉棚８の下方底面部１１ｅに収納しようとすると、上段扉棚７の最下部と中段扉棚８の下方底面部１１ｅとの距離Ａは２２５ｍｍで、５００ｍｌペットボトル２３の高さは２１０ｍｍであるので、５００ｍｌペットボトル２３を前部中段扉棚１１に収納することができる。
また、図７や図８に示すように、５００ｍｌペットボトル２３収納部は扉棚の前方に設けられる前部中段扉棚１１の下方底面部１１ｅであるため、５００ｍｌペットボトル２３の出し入れには全く問題がない。
【００１４】
さらに、図１のように下段扉棚６に２ｌペットボトル２４を２本、牛乳パック大の箱２５を２本配置しようとすると、前部中段扉棚１１の下方底面部１１ｅの裏面と下段扉棚６の底面との距離Ｂは２８０ｍｍで、牛乳パック大の箱２５の高さ２５０ｍｍよりも大きいので、下段扉棚６に牛乳パック大の箱２５が収納可能である。この時、中段扉棚８の下方底面部１１ｅの裏面と牛乳パック大の箱２５との間の距離は３０ｍｍと小さくなり、このスペースを有効利用することができていることがわかる。
【００１５】
また、２ｌペットボトル２４を収納する中段扉棚８の上方底面部１１ａ側は、中段扉棚８の上方底面部１１ａの裏面と下段扉棚６の底面との距離Ｄは例えば、３３０ｍｍで、２ｌペットボトルの高さは３１１ｍｍであるので配置可能である。
また、下段扉棚６、中段扉棚８の下方底面部１１ｅ共に、前記２ｌペットボトル２４、牛乳パック大の箱２５、５００ｍｌペットボトル２３を収納するのに十分な大きさである。
【００１６】
冷蔵庫扉３の上段に卵を収納する上部扉棚７を配置し、冷蔵庫扉３の下段にビン等の大形で重い物品を収納する下段扉棚６を配置し、上下方向の寸法が限られている小型の冷蔵庫においては、上部扉棚７と下段扉棚６との間に中段扉棚８を設け他場合、上段扉棚７と中段扉棚８との間の限られたスペース及び下段扉棚６と中段扉棚８との間の限られたスペースを有効利用することは、大変重要である。
【００１７】
図７に示すように、中段扉棚８の後部中段扉棚１０と前部中段扉棚１１の上方底面部１１ａとは、同一高さのつながった載置面を持ち、また、前部中段扉棚１１の下方底面部１１ｅは、庫内側に突出しているので、扉棚の前後方向に５００ｍｌペットボトル２３と２５０ｍｌ缶２１が戴置可能になる。
【００１８】
図２、４、６に示すように、中段扉棚８の前部中段扉棚１１の上方底面部１１ａの容器載置面と反対面側で、一方の側面部側から下方底面部１１ｅ側に、反対面から突出するリブ１２を設けたので、上方底面部１１ａに容器等を載置したとき、下向きの力により前部中段扉棚１１が前方に回転転倒しようとするが、リブ１２を後部中段扉棚１０の先端部が支えることにより、前部中段扉棚１１が回転転倒するのを防止できる。また、変形を防止できるため、前部中段扉棚１１を大きくでき、収納容積を大きくできるので、容器の形や大きさに合わせた分別利用が可能になる。
【００１９】
また、中段扉棚８の前部中段扉棚１１の下方底面部１１ｅは、下方前面部１１ｇ、両下方側面部１１ｈ、１１ｊ及び下方後面部１１ｋで囲われ、上方底面部１１ａとの境界に配置される下方内側側面部１１ｈ及び下方後面部１１ｋは、上方底面部１１ａの高さより高い部分からなるフランジ部１３を形成するので、前部中段扉棚１１の上方底面部１１ａに配置した容器等の下方底面部１１ｅへの落下を防止する。
【００２０】
また、前部中段扉棚１１を透明樹脂で形成することにより、外部から前部中段扉棚１１の内部を透視可能となり、また、装飾的にも優れたものとすることができる。
【００２１】
本実施の形態の冷蔵庫扉においては、扉内側に三段の扉棚６、７、８を備え、中段扉棚８は、扉内板４が突出し、容器を載置する底面部１０ａ及び両側の側面部１０ｂを形成した後部中段扉棚１０と、該後部中段扉棚１０に着脱可能に取付けられ、容器を載置する底面部、底面部を囲う前面部と側面部を持ち、庫内側に配置される前部中段扉棚１１とから成り、前部中段扉棚１１の底面部は、一方の側面部側に主として配置される上方底面部１１ａと他方の側面部側に配置される下方上面部１１ｅとから成る段差のある底面部であり、前部中段扉棚１１の上方底面部１１ａは、後部中段扉棚１０の底面部１０ａと同じ高さでつながっているので、
前部中段扉棚１１は着脱可能であり、また、前部中段扉棚１１の上方底面部１１ａは、後部中段扉棚１０の底面部１０ａと同じ高さでつながっているので、状況に応じて、取付けた場合は、多量の容器、大きな容器（直径等の大きな容器）の収納が可能であり、また、取外すことにより、下段扉棚６に高さの高い容器の収納が可能となる。
【００２２】
本実施の形態の冷蔵庫扉においては、前部中段扉棚１１の上方底面部１１ａは、下方底面部１１ｅの後方まで延在し、上方底面部１１ａの後部先端部１１ｆが、後部中段扉棚１０の底面部１０ａの前部中段扉棚１１側の先端部で、切欠きを設けた先端部１０ｃに重なることにより、前部中段扉棚１１の上方底面部１１ａは後部中段扉棚１０の底面部１０ａと同一平面を形成するとともに、前部中段扉棚１１は支持されるので、容器収納のための広い底面部が得られるとともに、前部中段扉棚１１を取付けた場合、前部中段扉棚１１の安定支持に有効と成る。
【００２３】
本実施の形態では、後部中段扉棚１０を設け、さらに前部中段扉棚１１を設けているが、一つの中段扉棚とし、即ち、後部中段扉棚１０に前部中段扉棚１１の特徴ある構造である段差のある底面部及び下方底面部を上方底面部より庫内側に突出させるようにしても、同様に下段扉棚６と上段扉棚７間のスペースの有効利用という効果は達成できる。
【００２４】
【発明の効果】
以上説明した通り、本発明の冷蔵庫扉は、扉内側の上段、中段及び下段のそれぞれに、容器を載置する底面部、底面部を囲う前面部と側面部を持つ収納ポケットである上段扉棚、中段扉棚及び下段扉棚を設けた冷蔵庫扉であって、中段扉棚の底面部は、一方の側面部側に主として配置される上方底面部と他方の側面部側に配置され、より高さの低い下方底面部から成る段差のある底面部であり、下方底面部が上方底面部より庫内側に突出しているので、中段扉棚に収納する容器は、上段扉棚との関係で、上方底面部と下方底面部とで高さの相違する容器の収納が可能であり、また、下段扉棚に収納する容器は、中段扉棚の高さの違う底面部との関係で、高さの相違する容器を収納でき、各種の高さの相違する容器の収納が可能となり、スペースの有効利用が可能となる。また、中段扉棚の下方底面部が庫内側に突出することより、大きな容器の収納が可能となる。
【図面の簡単な説明】
【図１】本発明の実施の形態１の冷蔵庫の冷蔵室の扉を開いた状態を示す正面図である。
【図２】本発明の実施の形態１の中段扉棚の要部正面図である。
【図３】本発明の実施の形態１の中段扉棚の要部上面図である。
【図４】本発明の実施の形態１の中段扉棚の要部左側面図である。
【図５】本発明の実施の形態１の中段扉棚の要部右側面図である。
【図６】本発明の実施の形態１の中段扉棚の要部背面図である。
【図７】本発明の実施の形態１の中段扉棚に容器を配置した時の要部上面図である。
【図８】本発明の実施の形態１の中段扉棚に容器を配置したときの要部縦断面図である。
【符号の説明】
３  冷蔵庫扉、４  扉内板、６  下段扉棚（収納ポケット）、７  上段扉棚（収納ポケット）、８  中段扉棚（収納ポケット）、１０ａ  後部中段扉棚の底面部、１０ｃ  切欠きを設けた先端部、１１  前部中段扉棚、１１ａ、１１ｅ  前部中段扉棚の底面部（上方底面部、下方底面部）、１１ｂ、１１ｇ  前部中段扉棚の前面部、１１ｃ、１１ｈ、１１ｊ  前部中段扉棚の側面部、１１ｆ  上方底面部の後部先端部、１１ｋ  前部中段扉棚の後面部、１２  リブ、１３  フランジ部。
【図１】
2004177071.tif 000003
【図２】
2004177071.tif 000004
【図３】
2004177071.tif 000005
【図４】
2004177071.tif 000006
【図５】
2004177071.tif 000007
【図６】
2004177071.tif 000008
【図７】
2004177071.tif 000009
【図８】
2004177071.tif 000010